(57)【要約】【課題】キャビネットの引出しの前板や開閉扉の板体に引手枠を設け、その内部に回動式の操作部材を設けた引手装置であって、操作部材の回動角度を確保しつつ、操作部に対する指掛かりが良好であり、特に低い位置にある引出しの引き出し操作が容易であり、また開閉扉が高い位置や離れた位置にあっても開放操作が容易である引出し、扉等の引手装置を提供する。【解決手段】操作部材１３の操作部１４の回動軸芯に直交する断面形状が全体として奥部から前方へ向けて延びた後方湾曲形状であり、操作部の中間部に奥部指掛け部２３を設けるとともに、前端側遊端部に前部指掛け部２４を設けた。操作部材の前部指掛け部は、前方へ向いた操作部の前端に、段部を設けて突縁を突設した。【選択図】        図２
2008111275.tif 000002
【特許請求の範囲】
【請求項１】
キャビネットの引出しの前板や開閉扉の板体に引手枠を設け、その内部に回動式の操作部材を設けた引手装置であって、前記操作部材の操作部の回動軸芯に直交する断面形状が全体として奥部から前方へ向けて延びた形状であり、該操作部の中間部に奥部指掛け部を設けるとともに、前端側遊端部に前部指掛け部を設けたことを特徴とする引出し、扉等の引手装置。
【請求項２】
前記操作部材の前部指掛け部は、前方へ向いた操作部の前端に、段部を設けて突縁を突設したものである請求項１記載の引出し、扉等の引手装置。
【請求項３】
前記操作部材の前部指掛け部となる突縁の反対側に、前記引手枠の枠縁との間の隙間を少なくする目隠し部を突設し、前記突縁と目隠し部とで操作部の遊端側を断面略Ｔ字形としてなる請求項２記載の引出し、扉等の引手装置。
【請求項４】
前記操作部材の奥部指掛け部は、背面側へ突出した突条とその後方に並設した鋸歯状部とから形成されている請求項１〜３何れかに記載の引出し、扉等の引手装置。
【発明の詳細な説明】
【技術分野】
【０００１】
本発明は、引出し、扉等の引手装置に係わり、更に詳しくはキャビネットの引出しや扉等に設ける回動式の引手装置に関するものである。
【背景技術】
【０００２】
従来から、キャビネットの引出しの前板や開閉扉の板体に引手枠を設け、その内部に回動式の操作部材を設けた引手装置は各種提供されている。例えば、特許文献１、２には、キャビネットの引出しの前板や開閉扉の板体に切欠開口を形成し、該切欠開口に指を差し入れることが可能な引手枠を装着し、引出しの前板内に横設した回動軸又は開閉扉の板体内に縦設した回動軸に、前記引手枠の内部に操作部を臨ませた状態で操作部材を回動可能に連結し、該操作部材の回動により前記回動軸を回動させ、該回動軸に連動して回動する操作軸又は直接回動軸に固定されたラッチを回動操作し、該ラッチがキャビネットの框部の係合部に対して係脱する構造の引手装置は各種提供されている。
【０００３】
通常、前記操作部に指を掛けて回動操作してラッチを解除した後、そのまま手前に引いて引出しを引き出したり、開閉扉を開放するので、操作部には指が確実に掛かる必要がある。従って、従来の操作部材の操作部は、回動操作が確実にできるように、指掛かりが良いような形状になっている。例えば、特許文献１に記載の操作部材の操作部は、回動中心から引手枠内へ直線状に延び、先端部を湾曲させながら前方へ延ばした断面略Ｊ字形の形状となっているので、指を深く差し込んで使用することを前提とした設計となっているので、操作部の先端部に指は掛かり難い形状である。一方、特許文献２の操作部材の操作部は、指に合せて湾曲して凹んだ形状となっており、先端は前方へ直角に延設して、引手枠の縁部を隠している。この場合、操作部に指を掛け易いが、該操作部が前方へ湾曲しているので、操作部材の回動角度を確保するために引手枠の一部を前方へ膨出させなければならず、デザイン上の制約になっていた。
【０００４】
更に、多段に引出しに設けたキャビネットの場合、下方の低い位置にある引出しを引き出すには、腰を屈めた窮屈な姿勢で、引出しの前板と略平行に腕を垂らし、指を操作部材の操作部に掛けるが、この際に指を引手枠の中に深く差し入れることは不可能ではないが、かなりの困難を伴うのである。そして、操作部の先端部にのみ指が掛かった状態で書類等を収納した重い引出しを引き出すのは、指先に力が必要であり、また指が滑って操作部から外れることもあり、操作性に問題があった。また、開閉扉の引手の場合にも、該引手が高い位置にあったり、離れた位置にあると、指を深く指し入れることができず、その場合にも開放操作に問題があった。
【特許文献１】実公平７−５１５８２号公報
【特許文献２】特許第３１５７４３０号公報
【発明の開示】
【発明が解決しようとする課題】
【０００５】
そこで、本発明が前述の状況に鑑み、解決しようとするところは、キャビネットの引出しの前板や開閉扉の板体に引手枠を設け、その内部に回動式の操作部材を設けた引手装置であって、操作部材の回動角度を確保しつつ、操作部に対する指掛かりが良好であり、特に低い位置にある引出しの引き出し操作が容易であり、また開閉扉が高い位置や離れた位置にあっても開放操作が容易である引出し、扉等の引手装置を提供する点にある。
【課題を解決するための手段】
【０００６】
本発明は、前述の課題解決のために、キャビネットの引出しの前板や開閉扉の板体に引手枠を設け、その内部に回動式の操作部材を設けた引手装置であって、前記操作部材の操作部の回動軸芯に直交する断面形状が全体として奥部から前方へ向けて延びた形状であり、該操作部の中間部に奥部指掛け部を設けるとともに、前端側遊端部に前部指掛け部を設けたことを特徴とする引出し、扉等の引手装置を構成した（請求項１）。
【０００７】
ここで、前記操作部材の前部指掛け部は、前方へ向いた操作部の前端に、段部を設けて突縁を突設したものである（請求項２）。
【０００８】
更に、前記操作部材の前部指掛け部となる突縁の反対側に、前記引手枠の枠縁との間の隙間を少なくする目隠し部を突設し、前記突縁と目隠し部とで操作部の遊端側を断面略Ｔ字形としてなることが好ましい（請求項３）。
【０００９】
また、前記操作部材の奥部指掛け部は、背面側へ突出した突条とその後方に並設した鋸歯状部とから形成されている（請求項４）。
【発明の効果】
【００１０】
以上にしてなる請求項１に係る発明の引出し、扉等の引手装置は、操作部材の操作部の回動軸芯に直交する断面形状が全体として奥部から前方へ向けて延びた形状としたことにより、該操作部材の回動軸芯を中心として手前に回動させた際に、引手枠の枠縁を逃して所定の回動角度を確保することができ、しかも操作部の中間部に奥部指掛け部を設けるとともに、前端側遊端部に前部指掛け部を設けたので、通常の状態では引手枠の中に指を深く差し入れて操作部の奥部指掛け部に指を掛けて確実に開放操作することができ、また引手枠の中に指を浅く差し入れた場合にも、前部指掛け部に指を掛けることができるので、同様に容易に開放操作をすることができ、特にキャビネットの低い位置にある重い引出しを引き出す際に、無理な姿勢で引手枠内に指を深く差し入れる必要がないので、開放操作を楽に行うことができる。更に、開閉扉が高い位置や離れた位置にあっても前部指掛け部を利用することにより、開放操作が容易である。
【００１１】
請求項２によれば、前記操作部材の前部指掛け部は、前方へ向いた操作部の前端に、段部を設けて突縁を突設したものであるので、前記段部に指を確実に掛けることができる。
【００１２】
請求項３によれば、操作部の遊端側を断面略Ｔ字形として突縁の反対側に目隠し部を設けることにより、引手枠の枠縁との間の隙間を少なくすることができ、外観性に優れたものとなる。また、前記操作部材の前部指掛け部となる突縁と目隠し部とで操作部の遊端側を断面略Ｔ字形とし、この操作部の遊端を引手枠と面一にすれば、外観性の更なる向上を図ることができる。
【００１３】
請求項４によれば、前記操作部材の奥部指掛け部は、背面側へ突出した突条とその後方に並設した鋸歯状部とから形成されていることにより、引手枠の中に指を深く差し入れる通常の開放操作時に、奥部指掛け部に指を確実に掛けることができ、また滑り止めもなされるので、指先に安心感を与えることができる。
【発明を実施するための最良の形態】
【００１４】
次に、添付図面に示した実施形態に基づき、本発明を更に詳細に説明する。図１は、本発明に係る引出し、扉等の引手装置を採用したキャビネットの正面図、図２〜図６は引出しに適用した実施形態、図７〜図９は開閉扉に適用した実施形態を示し、図中符号１は下キャビネット、２は上キャビネット、３は引出し、４は開閉扉、５は引出し用引手、６は扉用引手をそれぞれ示している。
【００１５】
本実施形態に係るキャビネットは、下キャビネット１と上キャビネット２とからなり、下キャッビネット１には上下多段に複数の引出し３，…を有し、各引出し３には引出し用引手５を備え、上キャビネット２には一対の開閉扉４，４を有し、一方の開閉扉４には扉用引手６を備えている。
【００１６】
先ず、図２〜図６に基づいて引出し用引手５の実施形態を説明する。前記引出し３の前板７は、金属製の表面板８と裏面板９とで内部に空間を設けた構造であり、該表面板８の上部中央に切欠開口１０を設けたものである。そして、前記前板７の切欠開口１０に、指を差し入れることが可能な合成樹脂製の引手枠１１を前方から嵌着するとともに、前板７内に横設した回動軸１２に、前記引手枠１１の内部に操作部１４を臨ませた状態で操作部材１３を回動可能に連結し、該操作部材１３の回動により前記回動軸１２を回動させ、該回動軸１２に連動して回動する操作軸１５に固定されたラッチ１６を回動操作し、該ラッチ１６が下キャビネット１の框部の係合部１７に対して係脱する構造である。
【００１７】
更に詳しくは、前記引手枠１１は、前面開放した箱型であり、周囲に前記前板７の切欠開口１０の口縁に当止するための鍔部１８を形成するとともに、該鍔部１８の後方に係合爪１９を設けて前記切欠開口１０に前方から嵌着できるようになっている。更に、前記引手枠１１の上部は、前記操作部材１３を受け入れるための開放部２０となっている。前記回動軸１２は、前記引手枠１１の開放部２０に面する位置の上方に、前記裏面板９の内面に突設した軸受片２１にて回動可能に横設されている。
【００１８】
そして、前記操作部材１３は、基部に前記回動軸１２に回転不能に連結する嵌合凹部２２を形成し、該嵌合凹部２２に前記回動軸１２の非円形部を嵌合して回転に対して一体とし、該基部から操作部１４は延設されている。前記操作部１４は、回動軸芯に直交する断面形状が全体として奥部から前方へ向けて延びた後方湾曲形状であり、該操作部１４の中間部に奥部指掛け部２３を設けるとともに、前端側遊端部に前部指掛け部２４を設けている。尚、前記操作部１４は、後方湾曲形状の他にも断面略Ｌ字形としても良く、その場合屈曲部が奥部指掛け部２３となる。
【００１９】
前記操作部材１３の奥部指掛け部２３は、背面側へ突出した突条２５とその後方に並設した鋸歯状部２６とから形成されている。本実施形態では、前記鋸歯状部２６は回動軸芯に直交する断面形状が直線状であり、前端部に比較的大きな突条２５を突設して指を掛け易くしている。
【００２０】
また、前記操作部材１３の前部指掛け部２４は、前方へ向いた操作部１４の前端に、段部２７を設けて突縁２８を突設して構成している。更に、前記操作部材１３の前部指掛け部２４となる突縁２８の反対側に、前記引手枠１１の枠縁との間の隙間を少なくする目隠し部２９を突設し、前記突縁２８と目隠し部２９とで操作部１４の遊端側を断面略Ｔ字形としている。
【００２１】
ここで、前記ラッチ１６がキャビネット１の係合部１７に係合する方向に弾性付勢されているので、通常の状態では前記操作部材１３の操作部１４が引手枠１１内に最も引き込まれた状態となっている。この状態で、前記奥部指掛け部２３よりも基部側に後方へ向けて一体成形した規制板３０の先端が前記裏面板９に当止し、これ以上の内方への回動を規制している。尚、前記操作部材１３の規制板３０は、前記引手枠１１の開放部２０を塞ぐ作用も有し、指を引手枠１１内に深く差し入れた際には、該規制板３０に指が当止するのである。そして、前記規制板３０の先端が前記裏面板９に当止した状態で、前記操作部１４の遊端の断面略Ｔ字形端面を前記引手枠１１の鍔部１８と面一になるように設定している。
【００２２】
前記操作部材１３の操作部１４は、図２及び図３に示すように、後方へ湾曲した断面形状を有しているので、該操作部１４を手前に引いて回動させた際に、前記引手枠１１の枠縁を逃して所定の回動角度を確保することができるのである。つまり、前記操作部材１３の操作部１４の遊端を前記引手枠１１の枠縁に接近させて配置しても回動動作に支障がないのである。また、前記操作部１４の遊端に目隠し部２９を形成したことにより、前記引手枠１１の枠縁との隙間を更に小さくすることが可能である。
【００２３】
また、図４及び図５に示すように、前記回動軸１２の一端部は、下方へ屈曲した作動杆３１となっており、前記前板７内の一側部に垂設した操作軸１５の上端に直角に折曲形成した連動杆３２を前記作動杆３１に交叉するように配置し、前記回動軸１２の回動を９０°方向を変えて操作軸１５の回動に変換している。尚、図５中、符号３３は、前記ラッチ１６の基部に一体成形した板ばね部である。
【００２４】
次に、図７〜図９に基づいて、扉用引手６の実施形態を説明する。基本的な構造は、前述の実施形態と同様である。前記開閉扉４の板体３４は、金属製の表面板３５と裏面板３６とで内部に空間を設けた構造であり、該表面板３５の遊端側の上下中間部に切欠開口３７を設けたものである。そして、前記板体３４の切欠開口３７に、指を差し入れることが可能な合成樹脂製の引手枠３８を前方から嵌着するとともに、板体３４内に縦設した回動軸３９に、前記引手枠３８の内部に操作部４１を臨ませた状態で操作部材４０を回動可能に連結し、該操作部材４０の回動により前記回動軸３９を回動させ、該回動軸１２の端部に固定されたラッチ４２を回動操作し、該ラッチ４２が上キャビネット２の框部の係合部（図示せず）に対して係脱する構造である。
【００２５】
更に詳しくは、前記引手枠３８は、前面開放した箱型であり、周囲に前記板体３４の切欠開口３７の口縁に当止するための鍔部４３を形成するとともに、該鍔部４３の後方に係合爪４４を設けて前記切欠開口３７に前方から嵌着できるようになっている。更に、前記引手枠３８の遊端側側部は、前記操作部材４０を受け入れるための開放部４５となっている。前記回動軸３９は、前記引手枠３８の開放部４５に面する位置の側方に、前記裏面板３６の内面に突設した軸受片４６にて回動可能に横設されている。
【００２６】
そして、前記操作部材４０は、基部に前記回動軸３９に回転不能に連結する嵌合凹部４７を形成し、該嵌合凹部４７に前記回動軸３９の非円形部を嵌合して回転に対して一体とし、該基部から操作部４１は延設されている。前記操作部４１は、回動軸芯に直交する断面形状が全体として奥部から前方へ向けて延びた後方湾曲形状であり、該操作部４１の中間部に奥部指掛け部４８を設けるとともに、前端側遊端部に前部指掛け部４９を設けている。
【００２７】
前記操作部材４０の奥部指掛け部４８は、背面側へ突出した突条５０とその後方に並設した鋸歯状部５１とから形成されている。本実施形態では、前記鋸歯状部５１は回動軸芯に直交する断面形状が後方へ突出した湾曲状であり、前端部に比較的大きな突条５０を突設して指を掛け易くしている。
【００２８】
また、前記操作部材４０の前部指掛け部４９は、前方へ向いた操作部４１の前端に、段部５２を設けて突縁５３を突設して構成している。更に、前記操作部材４０の前部指掛け部４９となる突縁５３の反対側に、前記引手枠３８の枠縁との間の隙間を少なくする目隠し部５４を突設し、前記突縁５３と目隠し部５４とで操作部４１の遊端側を断面略Ｔ字形としている。
【００２９】
ここで、前記ラッチ４２がキャビネット２の係合部に係合する方向に弾性付勢されているので、通常の状態では前記操作部材４０の操作部４１が引手枠３８内に最も引き込まれた状態となっている。この状態で、前記奥部指掛け部４８よりも基部側に後方へ向けて一体成形した規制板５５の先端が前記裏面板９に当止し、これ以上の内方への回動を規制している。尚、前記操作部材４０の規制板５５は、前記引手枠３８の開放部４５を塞ぐ作用も有し、指を引手枠３８内に深く差し入れた際には、該規制板５５に指が当止するのである。そして、前記規制板５５の先端が前記裏面板３６に当止した状態で、前記操作部４１の遊端の断面略Ｔ字形端面を前記引手枠３８の鍔部４３と面一になるように設定している。
【図面の簡単な説明】
【００３０】
【図１】本発明に係る引出し、扉等の引手装置を採用したキャビネットの正面図である。
【図２】引出しに設けた引出し用引手を示す要部の縦断面図である。
【図３】同じく引出し用引手の操作部材の拡大断面図である。
【図４】引出し前板の表面板を省略した部分正面図である。
【図５】引出し前板の一部省略した部分縦断面図である。
【図６】同じく引出し前板の部分横断面図である。
【図７】開閉扉に設けた扉用引手を示す要部の横断面図である。
【図８】同じく扉用引手の操作部材の拡大断面図である。
【図９】開閉扉の裏面板を省略した部分背面図である。
【符号の説明】
【００３１】
１  下キャッビネット、    ２  上キャビネット、
３  引出し、              ４  開閉扉、
５  引出し用引手、        ６  扉用引手、
７  前板、                ８  表面板、
９  裏面板、              １０  切欠開口、
１１  引手枠、            １２  回動軸、
１３  操作部材、          １４  操作部、
１５  操作軸、            １６  ラッチ、
１７  係合部、            １８  鍔部、
１９  係合爪、            ２０  開放部、
２１  軸受片、            ２２  嵌合凹部、
２３  奥部指掛け部、      ２４  前部指掛け部、
２５  突条、              ２６  鋸歯状部、
２７  段部、              ２８  突縁、
２９  目隠し部、          ３０  規制板、
３１  作動杆、            ３２  連動杆、
３３  板ばね部、          ３４  板体、
３５  表面板、            ３６  裏面板、
３７  切欠開口、          ３８  引手枠、
３９  回動軸、            ４０  操作部材、
４１  操作部、            ４２  ラッチ、
４３  鍔部、              ４４  係合爪、
４５  開放部、            ４６  軸受片、
４７嵌合凹部、            ４８  奥部指掛け部、
４９  前部指掛け部、      ５０  突条、
５１  鋸歯状部、          ５２  段部、
５３  突縁、              ５４  目隠し部、
５５  規制板。
【図１】
2008111275.tif 000003
【図２】
2008111275.tif 000004
【図３】
2008111275.tif 000005
【図４】
2008111275.tif 000006
【図５】
2008111275.tif 000007
【図６】
2008111275.tif 000008
【図７】
2008111275.tif 000009
【図８】
2008111275.tif 000010
【図９】
2008111275.tif 000011